(57)【特許請求の範囲】
【請求項１】
管内の水を吸引する吸引部と管内の水を検知する水検知装置とを備えた抽水ヘッドと、
その抽水ヘッドに接続されて管内の水を抽水する可撓性の抽水ホースと、
前記水検知装置に接続されて前記抽水ホースに沿って配設されるケーブルと、
前記抽水ホースに接続される吸引装置とを備えている管内抽水装置であって、
前記抽水ヘッドに可撓性の被覆管が接続され、その被覆管と前記抽水ホースとが、接続部材を介して互いに接続され、
前記吸引部に接続された可撓管が、前記被覆管内に配設され、かつ、前記接続部材を介して前記抽水ホースに連通接続され、
前記ケーブルが、前記被覆管内において前記可撓管の外側に配設されるとともに、前記接続部材を介して前記抽水ホース内に配設されている管内抽水装置。
【請求項２】
前記水検知装置が、管内を撮影するカメラであり、前記ケーブルが、そのカメラに接続された複数本の通信用ケーブルである請求項１に記載の管内抽水装置。
【請求項３】
前記複数本の通信用ケーブルが、前記被覆管内において、前記可撓管の周りに巻き付けられて配設され、前記抽水ホース内において、１本の可撓性の防水被覆管内に収納されて配設されている請求項２に記載の管内抽水装置。
【発明の詳細な説明】
【０００１】
【発明の属する技術分野】
本発明は、管内の水を吸引する吸引部と管内の水を検知する水検知装置とを備えた抽水ヘッドと、その抽水ヘッドに接続されて管内の水を抽水する可撓性の抽水ホースと、前記水検知装置に接続されて前記抽水ホースに沿って配設されるケーブルと、前記抽水ホースに接続される吸引装置とを備えている管内抽水装置に関する。
【０００２】
【従来の技術】
このような管内抽水装置は、例えば、土中に埋設してある既設のガス管などに抽水ヘッドを挿入し、管内に溜まった水を管外へ抽水するために使用するもので、従来、管内の水を吸引する吸引部に可撓性の抽水管を接続し、その抽水管を抽水ホース内に収納配設するとともに、水検知装置に接続された複数本のケーブルを１本の可撓性の被覆管内に収納し、その被覆管も抽水ホース内に収納配設したものが知られている（例えば、特開２０００−２３９４号公報参照）。
【０００３】
【発明が解決しようとする課題】
しかし、上記公報に開示の技術では、管内に挿入するためにあまり大径にできない抽水ホース内に、更に、抽水管を収納配設するものであるから、どうしても抽水管の径が小さくなり、そのために水の吸引抵抗が大きくなって、ポンプなどの吸引装置が大型化し、かつ、ランニングコストも高くなるという問題がある。
【０００４】
このような問題を解消するには、例えば、図４に示すように、抽水ヘッド５Ａに抽水ホース１を直接接続し、抽水ヘッド５Ａに連設された吸引部２Ａを抽水ホース１に連通接続し、かつ、複数本のケーブル１１を１本の可撓性の防水被覆管３４内に収納し、その防水被覆管３４を抽水ホース１内に収納配設することが考えられる。
【０００５】
しかし、かかる構成では、吸引部２Ａからの吸引水Ｗが抽水ホース１内を直接通流することになり、その抽水ホース１と抽水ヘッド５Ａとが直接接続されているため、抽水ホース１内の水Ｗが、ケーブル１１用の挿通孔１８Ａから抽水ヘッド５Ａ内に侵入して、ＣＣＤカメラなどの水検知装置７に悪影響を与える虞がある。
それを回避するには、ケーブル１１用の挿通孔１８Ａにシールを施す必要があるが、このような箇所を完全にシールするのはきわめて困難で、技術的にも限界がある。
【０００６】
本発明は、このような従来の問題点に着目したもので、その目的は、抽水時における水の吸引抵抗を極力小さくすることができ、しかも、抽水ヘッドに備えられた水検知装置への水の浸入による悪影響をも回避することのできる管内抽水装置の提供にある。
【０００７】
【課題を解決するための手段】
〔構成〕
請求項１の発明の特徴構成は、図１〜図３に例示するごとく、管Ａ内の水Ｗを吸引する吸引部２と管Ａ内の水Ｗを検知する水検知装置７とを備えた抽水ヘッド５と、その抽水ヘッド５に接続されて管Ａ内の水Ｗを抽水する可撓性の抽水ホース１と、前記水検知装置７に接続されて前記抽水ホース１に沿って配設されるケーブル１１と、前記抽水ホース１に接続される吸引装置Ｐとを備えている管内抽水装置であって、前記抽水ヘッド５に可撓性の被覆管１５が接続され、その被覆管１５と前記抽水ホース１とが、接続部材１７を介して互いに接続され、前記吸引部２に接続された可撓管１６が、前記被覆管１５内に配設され、かつ、前記接続部材１７を介して前記抽水ホース１に連通接続され、前記ケーブル１１が、前記被覆管１５内において前記可撓管１６の外側に配設されるとともに、前記接続部材１７を介して前記抽水ホース１内に配設されているところにある。
【０００８】
請求項２の発明の特徴構成は、図２に例示するごとく、前記水検知装置７が、管Ａ内を撮影するカメラであり、前記ケーブル１１が、そのカメラ７に接続された複数本の通信用ケーブルであるところにある。
【０００９】
請求項３の発明の特徴構成は、図２および図３に例示するごとく、前記複数本の通信用ケーブル１１が、前記被覆管１５内において、前記可撓管１６の周りに巻き付けられて配設され、前記抽水ホース１内において、１本の可撓性の防水被覆管３４内に収納されて配設されているところにある。
【００１０】
なお、上述のように、図面との対照を便利にするために符号を記したが、該記入により本発明は添付図面の構成に限定されるものではない。
【００１１】
〔作用及び効果〕
請求項１の発明の特徴構成によれば、吸引部と水検知装置とを備えた抽水ヘッドに可撓性の被覆管が接続され、その被覆管と抽水ホースとが、接続部材を介して互いに接続され、前記吸引部に接続された可撓管が、前記被覆管内に配設されて、その被覆管内において、水検知装置に接続されたケーブルが、前記可撓管の外側に配設されているので、吸引部から吸引された水は、ケーブルと隔離された可撓管内を通流することになり、したがって、吸引された水が、ケーブルの挿通孔から水検知装置側へ侵入する可能性は極めて少ない。
しかも、その可撓管は、接続部材を介して抽水ホースに連通接続され、ケーブルの方は、その接続部材を介して抽水ホース内に配設されるので、可撓管部分においては、その断面積が多少小さくなるものの、抽水ホース部分においては、その抽水ホースを殆どそのまま利用して抽水することができる。
したがって、全体として水の吸引抵抗を小さくし、比較的小型の吸引装置でも確実に吸引して抽水することができるにもかかわらず、水検知装置に対する水の悪影響を極力回避することができる。
【００１２】
請求項２の発明の特徴構成によれば、水検知装置が、管内を撮影するカメラで、前記ケーブルが、そのカメラに接続された複数本の通信用ケーブルであるから、カメラによって管内を撮影し、その撮影情報を複数本の通信用ケーブルによって確実に送信することができ、例えば、その通信用ケーブルをモニターテレビに接続することで、管内の状況を目視しながら水の存在を検知することができる。
【００１３】
請求項３の発明の特徴構成によれば、複数本の通信用ケーブルが、前記被覆管内において、前記可撓管の周りに巻き付けられて配設されているので、被覆管の可撓性を損ねることがなく、抽水ヘッドの管内への挿入を円滑に行うことができる。
つまり、複数本の通信用ケーブルを一束に纏めて被覆管内に配設することもできるが、複数本のケーブルを一束に纏めると、ケーブル全体としての剛性が強くなり、被覆管の可撓性が阻害されて、被覆管の先端側に接続された抽水ヘッドを管内へ挿入する際、管の屈曲箇所などに引っ掛かって挿入が円滑に行かなくなる虞がある。
その点、複数本の通信用ケーブルを一束に纏めずに、各別にすると、ケーブル全体としての剛性が弱くなり、被覆管の可撓性を損ねることがなく、抽水ヘッドの管内への挿入を円滑に行うことができるとともに、その複数本の通信用ケーブルを可撓管の周りに巻き付けることで、各ケーブルどうしの絡み付きも防止することができる。
そして、抽水ホース内においては、複数本の通信用ケーブルが１本の可撓性の防水被覆管内に収納されて配設されているので、抽水ホース内を通流する水が通信用ケーブルに接触する虞も少なく、通信用ケーブルに対する水の悪影響を回避することができる。
【００１４】
【発明の実施の形態】
本発明による管内抽水装置の実施の形態を図面に基づいて説明する。
この管内抽水装置は、図１に示すように、例えば、土中に埋設してある既設の都市ガス用ガス管Ａの内部に溜まった水Ｗを管外に抽水するために使用されるもので、ポリエチレン樹脂からなる可撓性の抽水ホース１、その抽水ホース１を螺旋状に巻き取って繰り出し自在に保持するリールＲ、ガス管Ａ内の水Ｗを吸引する吸引装置としてのポンプＰ、ならびに、検査ユニットＤなどを備えて構成され、抽水ホース１の先端側には、ガス管Ａ内の水Ｗを吸引するための吸引部２などを備えた抽水ヘッド部３が設けられている。
【００１５】
その抽水ヘッド部３は、図２の（イ）、（ロ）に示すように、抽水路４を有する金属製の抽水ヘッド５を備えていて、抽水路４の先端側には、可撓性の抽水管６が接続され、その抽水管６の先端に、複数の吸引口２ａを備えて吸引部として機能する球形の案内体２が取付けられている。
前記抽水ヘッド５には、抽水路４と遮断された空間が設けられていて、その空間内には、ガス管Ａの内部を撮影して水Ｗを検知する水検知装置としてのＣＣＤカメラ７と、その撮影箇所を照らすＬＥＤからなる複数の照明灯８とが水密状態で収納され、かつ、ＣＣＤカメラ７用のカメラ基板９も収納されていて、カメラ基板９とＣＣＤカメラ７とが、多数のカメラケーブル１０で接続され、そのカメラ基板９から合計４本の通信用ケーブル１１が抽水ヘッド５の外へ延出され、かつ、照明灯８に接続された合計２本の給電用ケーブル１２も抽水ヘッド５の外へ延出されている。
【００１６】
その抽水ヘッド５の後端側には、管接続用のスリーブ１３と抽水路４に連通する抽水用スリーブ１４とが突設され、スリーブ１３には可撓性の被覆管としての蛇腹管１５が、抽水用スリーブ１４には可撓管１６が、それぞれ水密状態で外嵌接続されて、蛇腹管１５内に可撓管１６が配設され、その蛇腹管１５と可撓管１６の後端側には、図３に示すように、接続部材としてのコネクタ１７が接続されている。
そして、抽水ヘッド５の後端側には、ＣＣＤカメラ７などを収納する空間に連通する開口部１８が設けられ、その開口部１８から上述した４本の通信用ケーブル１１と２本の給電用ケーブル１２とが蛇腹管１５内に延出されて、抽水ヘッド５とコネクタ１７との間に位置する蛇腹管１５内において、合計６本のケーブル１１，１２が、可撓管１６の周りに螺旋状に巻き付けられて配設されている。
【００１７】
前記蛇腹管１５の外周には、蛇腹管１５を保護するためのスプリング１９が螺旋状に巻かれて配設され、その一端部が抽水ヘッド５に固着され、他端部がコネクタ１７に固着されている。
そして、そのスプリング１９は、図２の（イ）および図３に示すように、抽水ヘッド５側においては比較的疎に巻かれ、コネクタ１７側においては比較的密に巻かれていて、抽水ヘッド５側においては、蛇腹管１５に対して必要な可撓性を持たせながら、コネクタ１７側においては、蛇腹管１５に対して必要な剛性を持たせるように構成されている。
【００１８】
前記コネクタ１７は、互いに嵌合可能な第１カプラ２０と第２カプラ２１とを備え、第１カプラ２０のスリーブ２２に蛇腹管１５が外嵌固着され、第２カプラ２１のスリーブ２３に抽水ホース１が外嵌固着されていて、両カプラ２０，２１が、Ｏリング２４を介在させた状態でリング状の雌ねじ式締付け具２５により互いに連結固定されている。
第１カプラ２０には、抽水路２６が設けられ、その抽水路２６に連通して先端側に突設された抽水用スリーブ２７に前記可撓管１６が水密状態で外嵌接続され、抽水路２６の後端側は、Ｏリング２８を介在させた状態で第２カプラ２１を貫通して延設され、その後端開口部が抽水ホース１内に開放されている。
【００１９】
第１カプラ２０には、４本の通信用ケーブル１１と２本の給電用ケーブル１２とが挿通する第１ケーブル挿通路２９が設けられ、第２カプラ２１にも同様な第２ケーブル挿通路３０が設けられていて、第１ケーブル挿通路２９には第１コネクタ３１が、第２ケーブル挿通路３０には第２コネクタ３２がそれぞれ螺合され、両カプラ２０，２１を連結固定した状態で、両コネクタ３１，３２を介して、第１カプラ２０側のケーブル１１，１２と第２カプラ２１側のケーブル１１，１２とが、互いに接続されるように構成されている。
第２カプラ２１には、第２ケーブル挿通路３０に連通するケーブル用スリーブ３３が突設され、そのスリーブ３３に可撓性の防水被覆管３４が水密状態で外嵌固着され、その１本の防水被覆管３４内に４本の通信用ケーブル１１と２本の給電用ケーブル１２とが挿通されて収納されている。
【００２０】
すなわち、４本の通信用ケーブル１１と２本の給電用ケーブル１２は、抽水ヘッド５とコネクタ１７との間に位置する蛇腹管１５内においては、可撓管１６の外側に配設され、コネクタ１７より後側においては、１本の防水被覆管３４内に収納されて抽水ホース１の内側に配設され、その抽水ホース１と共にリールＲ側に延設され、リールＲの近傍において、抽水ホース１から外部へと延出されている。
そして、前記検査ユニットＤが、ＣＣＤカメラ７による撮像を映し出したり、種々の情報を表示するモニターテレビ３５や、リールＲからの抽水ホース１の繰り出し量などを調整制御する制御部３６、ならびに、電源装置３７などを備えていて、４本の通信用ケーブル１１がモニターテレビ３５に、２本の給電ケーブル１２が電源装置３７にそれぞれ接続されている。
【００２１】
このような構成の管内抽水装置を使用してガス管Ａ内の水Ｗを抽水するには、図１に示すように、対象とするガス管Ａに分岐継手Ｂを接続し、その分岐継手Ｂを介してガス管Ａ内に抽水ホース１の先端側、つまり、吸引部としての案内体２を先頭として抽水ヘッド部３を挿入し、リールＲから抽水ホース１を繰り出しながらモニターテレビ３５によりガス管Ａの内部を監視する。
ガス管Ａ内に水Ｗの存在が確認されると、その水Ｗの中に案内体２を挿入し、ポンプＰを駆動することによって、ガス管Ａ内の水Ｗが、吸引口２ａ、抽水管６、抽水ヘッド５の抽水路４、可撓管１６、第１カプラ２０の抽水路２６、ならびに、抽水ホース１を介して吸引されて抽水される。
【００２２】
〔別実施形態〕
（１）先の実施形態では、水検知装置としてＣＣＤカメラ７を使用した例を示したが、例えば、プラス極とマイナス極とを備えた電極を使用し、両極が水の中に挿入されて両極間で通電が生じることにより、水の存在を検出するように構成することもでき、したがって、水検知装置の具体例としては、特にＣＣＤカメラに限るものではなく、また、その水検知装置に接続されるケーブル１１の種類や本数についても、先の実施形態で説明したものに限るものではない。
【００２３】
（２）先の実施形態では、被覆管１５内において、複数本のケーブル１１を可撓管１６の周りに巻き付けて配設した例を示したが、複数本のケーブル１１を一束に纏めて可撓管１６と並設したり、一束に纏めずに、各別にして可撓管１６と並設するなど、種々の変更が可能である。
【００２４】
（３）先の実施形態では、抽水ヘッド５の先端側に抽水管６を介して吸引部としての案内体２を連設した例を示したが、抽水ヘッド５に吸引部としての案内体２を直接連設したり、あるいは、抽水ヘッド５に吸引部としての開口を設けて実施することもできる。
【００２５】
（４）先の実施形態では、土中に埋設のガス管Ａ内に溜まった水Ｗを吸引して抽水する例を示したが、対象とする管は、ガス管に限らず、通信用などの各種の管を対象とすることも、また、埋設管以外の管を対象とすることもできる。
【図面の簡単な説明】
【図１】管内抽水装置の全体構成を示す概略図
【図２】抽水ヘッド部の一部切欠き縦断側面図と正面図
【図３】コネクタの縦断側面図
【図４】比較例を示す抽水ヘッド部の一部切欠き縦断側面図
【符号の説明】
１        抽水ホース
２        吸引部
５        抽水ヘッド
７        水検知装置としてのカメラ
１１      通信用ケーブル
１５      被覆管
１６      可撓管
１７      接続部材
３４      防水被覆管
Ａ        管
Ｐ        吸引装置
Ｗ        水
【図１】
0004250307.tif 000002
【図２】
0004250307.tif 000003
【図３】
0004250307.tif 000004
【図４】
0004250307.tif 000005